(57)【要約】      （修正有）【課題】電源部と発光表示部とを結線している導電線が電源部の着脱を繰り返すうちに捩じ切れて断線してしまうことのない発光表示具を提供する。【解決手段】電源部と、電源部からの給電により発光する発光表示部とを備え、電源部は、電池を収納し、発光表示部に結線された電池ホルダ４と、この電池ホルダを収納するホルダケース５とを有し、ホルダケースは、発光表示部に固定若しくは一体的に形成されるとともに、ホルダケースと電池ホルダとの間に、電池ホルダをホルダケースに対して回転不能で挿抜可能な装着手段１８を設けた。【選択図】図２
2005321440.tif 000002
【特許請求の範囲】
【請求項１】
電源部と、電源部からの給電により発光する発光表示部とを備え、電源部は、電池を収納し、発光表示部に結線された電池ホルダと、この電池ホルダを収納するホルダケースとを有し、ホルダケースは、発光表示部に固定若しくは一体的に形成されるとともに、ホルダケースと電池ホルダとの間に、電池ホルダをホルダケースに対して回転不能で挿抜可能な装着手段を設けたことを特徴とする発光表示具。
【請求項２】
電池ホルダの底面部分に、発光表示部に結線されたスイッチを設けたことを特徴とする請求項１に記載の発光表示具。
【請求項３】
電池が充電池であって、この充電池を充電する光発電素子を発光表示部の表面部分に設けたことを特徴とする請求項１または請求項２に記載の発光表示具。
【発明の詳細な説明】
【技術分野】
【０００１】
本発明は、例えば工事現場や急なカーブのある場所等、通行に注意を要する場所において、通行する自動車や通行人の注意を喚起するための発光表示具に関するものである。
【背景技術】
【０００２】
従来、この種の発光表示具としては、電池を収納する電源部と、電源部と導電線で結線されており、電源部から給電されて発光する発光表示部とを備えたものがある（例えば、特許文献１参照）。
【特許文献１】特開２００１−３２５８０１号公報
【発明の開示】
【発明が解決しようとする課題】
【０００３】
しかしながら、上記の発光表示具のように、電源部が、発光表示部にネジ機構を介して一体に形成されるものが一般的であるが、このような構造では、電源部を螺着させる際に、電源部と発光表示部とを結線している導電線が、電源部の回転方向に捩れてしまうため、電源部の着脱を繰り返すうちに導電線が捩じ切れて、断線してしまうという不具合がある。断線すると、発光表示部が発光しなくなるので、例えば、工事現場などのように、注意喚起や危険報知を用途として使用されている場合には、非常に危険である。
【課題を解決するための手段】
【０００４】
本発明の発光表示具は、上記問題点に鑑みて提案されたものであって、
電源部と、電源部からの給電により発光する発光表示部とを備え、電源部は、電池を収納し、発光表示部に結線された電池ホルダと、この電池ホルダを収納するホルダケースとを有し、ホルダケースは、発光表示部に固定若しくは一体的に形成されるとともに、ホルダケースと電池ホルダとの間に、電池ホルダをホルダケースに対して回転不能で挿抜可能な装着手段を設けたことを特徴とするものである。
【０００５】
また、電池ホルダの底面部分に、発光表示部に結線されたスイッチを設けたものであってもよい。
【０００６】
さらに、電池が充電池であって、この充電池を充電する光発電素子を発光表示部の表面部分に設けたものであってもよい。
【発明の効果】
【０００７】
本発明の発光表示具によれば、電源部と、電源部からの給電により発光する発光表示部とを備え、電源部が、電池を収納し、発光表示部に結線された電池ホルダと、この電池ホルダを収納するホルダケースとからなり、ホルダケースが、発光表示部に固定若しくは一体的に形成されるとともに、ホルダケースと電池ホルダとの間に、回転不能で挿抜可能な装着手段を設けたものであるので、ホルダケースに電池ホルダを装着する際に、結線部分が捩れたり撚れたりすることがない。したがって、結線部分に捩れ方向への過負荷がかからず、断線の発生を抑えることができる。その結果、発光表示部が発光しないという事態を防止でき、発光表示具の信頼性が向上するため、特に、工事現場などのように、注意喚起や危険報知を用途として使用される場合に、非常に好ましい。
【０００８】
また、上記の構成に加えて、電池ホルダの底面部分に、発光表示部に結線されたスイッチを設けたものでは、スイッチを設けた電池ホルダが、ホルダケース内に収納されているので、スイッチの誤操作が発生しにくく、安全性が高いという利点がある。
【０００９】
さらに、電池が充電池であって、この充電池を充電する光発電素子を発光表示部の表面部分に設けたものでは、光発電素子が、周囲の光を受けて発電し、発電した電気を充電池に充電できる。したがって、昼間に太陽光を充電しておいて、夜間に発光灯を発光させることができるため、省エネ化を図ることができる。また、何度も充電して使用できるので、乾電池を使用する場合に比べて、電池の取り替え回数を低減できる。したがって、メンテナンス作業を軽減でき、利便性に優れる。
【発明を実施するための最良の形態】
【００１０】
以下、本発明にかかる発光表示具の一実施形態について詳細に説明する。
【００１１】
本実施形態の発光表示具１は、図１から図３に示すように、電池が収納される電源部２と、電源部２からの給電により発光する発光表示部３とを備えている。
【００１２】
電源部２は、電池を収納し、発光表示部３に結線された電池ホルダ４と、この電池ホルダ４を収納するホルダケース５と、電池ホルダ４をホルダケース５内に装着する装着体６とを備えている。
【００１３】
電池ホルダ４は、合成樹脂製で、単３の電池を２本収納可能に形成されており、電池を直列に接続する＋−端子１２を備えている。
【００１４】
ホルダケース５は、電池ホルダ４と同様に合成樹脂製である。そして、両端が開口した円筒状のケース本体１３と、ケース本体１３に着脱可能に取り付けられる保護キャップ１４から構成されている。
【００１５】
ケース本体１３の一端開口部には、保護キャップ１４を螺着可能な雌ネジ部１５が形成されており、雌ネジ部１５よりも内部に、環状のホルダ本体前方係止部１６が、ケース本体１３の内周面に沿って形成されている。そして、ホルダ本体前方係止部１６には、前記凸状係止部１０２に係合する凹溝１７が形成されている。また、ケース本体１３の内径は、電池ホルダ４の外径よりも大径に形成されている。
【００１６】
ケース本体１３の他端部には、発光表示部３に一体的に取り付け可能な取り付け機構１８が設けられている。取り付け機構１８は、発光表示部３の端部を受け止める突起部２０と、発光表示部３の抜け落ちを防止する係止溝２１と、発光表示部３のケース本体１３に対する回動を阻止する回動阻止溝２２から構成されている。突起部２０と係止溝２１は、ケース本体１３の周方向に形成されている。回動阻止溝２２は、ケース本体１３の軸方向に形成されており、ケース本体１３の軸心に対して点対称に２箇所設けられている。
【００１７】
保護キャップ１４は、両端が開口した円筒状で、図２に示すように、一端開口部に雄ネジ部２３が形成されており、雄ネジ部２３の基部にはゴムパッキン２４が取り付けられている。また、保護キャップ１４の内面には、環状のホルダ本体後方係止部２５が形成されている。さらに、図３に示すように、保護キャップ１４の外周面は、１２角形状に形成されている。
【００１８】
装着体６は、図２、図４に示すように、一端が開口した有底円筒状の本体部１００と、本体部１００に一体に形成される装着爪１０１と、装着爪１０１に形成される凸状係止部１０２とを備えており、本体部１００の底部には、電池から発光表示部３への給電をオンオフする電源スイッチ７が設けられている。
【００１９】
装着爪１０１は、本体部１００の内底面から本体部１００の内側面に沿って設けられており、本体部１００の開口部の外方に延出している。装着爪１０１は、本体部８の内部の一側に所定間隔離間させて３本配置されるとともに、この３本の装着爪に対向する側に残りの３本が配置されている。
【００２０】
凸状係止部１０２は、一側に配置された３本の装着爪の真ん中に位置する装着爪に形成されており、具体的には、本体部１００の開口部から外方に延出している部分が、本体部１００の外側面とほぼ面一となるように形成されている。
【００２１】
なお、電池ホルダ４とホルダケース５との間に設けられる装着手段とは、ケース本体１３に形成された凹溝１７、装着体６における本体部１００、装着爪１０１、および凸状係止部１０２とを備えた構成をいうものとする。
【００２２】
発光表示部３は、ホルダケース５の一端部に連結される透光カバー２６と、透光カバー２６の内部に配置される７つの発光ダイオード２７と、発光ダイオード２７が配設され、発光の点滅を制御するプリント基板２８と、太陽光を受けて発電する光発電素子が配設された光発電体２９とを備えている。
【００２３】
透光カバー２６は、図１、図２に示すように、正面視略矩形状の収納部３０と、収納部３０の下端部にネック状に形成されるケース本体取付部３１とを備えている。
【００２４】
ケース本体取付部３１は、開口部を備えた円筒状で、その内径は、ケース本体１３の外径よりも大径に形成されている。ケース本体取付部３１の内周面には、ケース本体１３に形成された係止溝２１に係止される係止凸部３１１が周方向に形成されているとともに、ケース本体１３に形成された回動阻止溝２２に嵌合する嵌合突起３１２が対向配置されている。
【００２５】
収納部３０は、側面視ほぼＴ字状で、発光ダイオード２７が配設されたプリント基板２８を垂直方向に配置した状態で収納するプリント基板収納部３０１と、プリント基板収納部３０１の上方に位置し、光発電体２９を水平方向に配置した状態で収納する光発電体収納部３０２とを有している。
【００２６】
なお、透光カバー２６は、前部カバー２６ａと後部カバー２６ｂとに分割可能で、発光ダイオード２７、プリント基板２８、光発電体２９は、後部カバー２６ｂに装着され、前部カバー２６ａで保護されている。
【００２７】
配線について説明すると、まず、電池ホルダ４に設けられた＋−端子１２は、プリント基板２８上の端子に導電線３２で接続されている。装着体６の電源スイッチ７は、プリント基板２８上の端子に導電線３３で接続されている。また、光発電体２９は、プリント基板２８上の端子に導電線３４で接続されている。そして、太陽光により発電された電気は、充電池Ｓに充電され、電源スイッチ７をオンにすると、充電された電気が発光ダイオード２７に給電されて発光する。
【００２８】
次に、取り付け手順について説明する。まず、充電池Ｓを電池ホルダ４に収納する。次に、電池ホルダ４を装着爪１０１の先端部側から本体部１００内に挿入し、電池ホルダ４を装着体６に装着する。そして、電池ホルダ４が装着された装着体６をケース本体１３に装着する。具体的には、装着体６の装着爪１０１に形成された凸状係止部１０２をケース本体１３内部の凹溝１７に対向配置させ、凸状係止部１０２を凹溝１７に係合させた状態で、装着体６の本体部１００の開口側端部がホルダ本体前方係止部１６に当接するまで、装着体６をケース本体１３内に挿入する。最後に、ケース本体１３の端部に形成された雌ネジ部１５に、保護キャップ１４の端部に形成された雄ネジ部２３を螺合させて、ケース本体１３に保護キャップ１４を螺着する。
【００２９】
すなわち、装着体６は、本体部１００の開口側端部がホルダ本体前方係止部１６に係止されるとともに、本体部１００の底部がホルダ本体後方係止部２５に係止されるので、軸方向への移動が阻止される。また、装着体６は、凹状係止部１０２がケース本体１３内の凹溝１７に係止されるので、装着体６のケース本体１３に対する周方向への回転移動が阻止される。したがって、保護キャップ１４をケース本体１３に螺着する際に、装着体６は保護キャップ１４の回転方向に回転しない。
【００３０】
この発光表示具１を使用する場合には、電源スイッチ７を入れた後、発光表示部３を上側にしてホルダケース５を手で握り、通行人や通行する車などに対して、注意喚起や危険報知を行う。
【００３１】
また、工事現場等で使用される三角コーンの頂部に取り付けて使用することもできる。この場合は、頂部に予め嵌合穴が形成された三角コーンを使用し、この嵌合穴に発光表示具１のホルダケース５を嵌合させることにより、三角コーンの頂部に発光表示具１を立設させる。
【００３２】
以上のように、本実施の形態の発光表示具１によれば、装着体６に凸状係止部１０２を設けるとともに、ケース本体１３内部に凹溝１７を設けたので、装着体６がケース本体１３内を周方向に回転するのを阻止できる。その結果、装着体６に装着された電池ホルダ４も周方向に回転することがない。したがって、ホルダケース５内に電池ホルダ４を装着しても、電池ホルダ４と発光表示部３とを接続する導電線が捩れたり撚れたりしないので、断線の発生を抑えることができる。その結果、発光表示部３が発光しないという事態を防止でき、発光表示具１の信頼性を向上させることができる。したがって、特に、工事現場などのように、注意喚起や危険報知を用途として使用される場合に、非常に好ましい。
【００３３】
また、ホルダケース５をケース本体１３と保護キャップ１４から構成し、ケース本体１３にホルダ本体前方係止部１６を設け、保護キャップ１４にホルダ本体後方係止部２５を設けたので、装着部６のホルダケース５内における軸方向への移動を阻止できる。したがって、装着部６をホルダケース５内の所定位置に確実に配置させた状態で収納することができる。さらに、保護キャップ１４をケース本体１３に螺着する構造としたので、電池交換などの際に工具を用いることなく、保護キャップ１４の着脱ができ、利便性に優れる。
【００３４】
また、装着体４の底面部分に電源スイッチ７を設けるとともに、電源スイッチ７が保護キャップ１４で保護されているので、使用中に電源スイッチ７を誤操作してしまうといった問題が発生しにくく、安全性が高いという利点がある。また、三角コーンに取り付けて使用する場合には、電源スイッチ７が外部に露出しないので、通行人などによるいたずら操作を効果的に防止することができる。
【００３５】
さらに、発光表示部３の上部に光発電素子が配設された光発電体２９を設けているので、光発電素子が周囲の光を受けて発電し、発電した電気を電池ホルダ４内に収納した充電池Ｓに充電できる。したがって、昼間に太陽光を充電しておいて、夜間に発光灯を発光させることができるため、省エネ化を図ることができる。また、何度も充電して使用できるので、乾電池を使用する場合に比べて、電池の取り替え回数を低減できる。したがって、メンテナンス作業を軽減でき、利便性に優れる。
【００３６】
また、ケース本体１３の他端部に、透光カバー２６のケース本体取付部３１の端部を受け止める突起部２０と、透光カバー２６の抜け落ちを防止する係止溝２１と、透光カバー２６の回動を阻止する回動阻止溝２２から構成される取り付け機構１８を設けたので、透光カバー２６がケース本体１３に対して回動したり脱落したりすることを確実に防止することができる。したがって、透光カバー２６内に収納された導電線が捩れたり撚れたりすることがなく、断線の発生をより一層抑制することができる。
【００３７】
なお、本実施の形態では、発光ダイオード２７を発光させるための電気を光発電素子により発電させる構成としたが、この構成に限定されるものではなく、乾電池を使用しても構わない。
【００３８】
また、ホルダケース５と電池ホルダ４との装着手段としては、本実施の形態に示されるケース本体１３に形成された凹溝１７、装着体６における本体部１００、装着爪１０１、および凸状係止部１０２とを備えた構成に限定されるものではなく、ホルダケース５に対して電池ホルダ４を回転不能で挿抜可能に装着できる機構であればよい。
【図面の簡単な説明】
【００３９】
【図１】本発明にかかる一実施形態の発光表示具１の正面図である。
【図２】図１の発光表示具１の左側面図である。
【図３】図１の発光表示具１の底面図である。
【図４】ケース本体１３に電池ホルダ４を取り付ける様子を示す説明図である。
【符号の説明】
【００４０】
１        発光表示具
２        電源部
３        発光表示部
４        電池ホルダ
５        ホルダケース
７        電源スイッチ(スイッチ)
１００    本体部（装着手段）
１０１    装着爪(装着手段)
１０２    凸状係止部（装着手段）
１６      ホルダ本体前方係止部
１８      凹溝（装着手段）
２５      ホルダ本体後方係止部
２９      光発電体（光発電素子）
Ｓ        充電池（電池）
【図１】
2005321440.tif 000003
【図２】
2005321440.tif 000004
【図３】
2005321440.tif 000005
【図４】
2005321440.tif 000006